(57)【要約】【課題】  未来番組表上から設定を行うことで、番組を見ながらユーザが望む常時録画チャンネルを容易に設定できるようにする。【解決手段】  デマルチプレクサ１２のＣＰＵは、Ｓ１００にて番組表を取得し、Ｓ１０２では、保守の時間帯を取得する。Ｓ１０４では、ＣＰＵは現在の常時録画のチャンネルと常時録画の時間帯とを取得する。ＣＰＵは、常時録画チャンネル１４ａと常時録画時間帯１４ｂとに加え、保守時間帯１４ｃを取得しているので、Ｓ１０６では、ＣＰＵは番組表の表示を行なう。番組表には、保守時間帯の表示と常時録画チャンネルと常時録画時間帯の表示とを行っている。【選択図】  図３
2015136037.tif 000002
【特許請求の範囲】
【請求項１】
複数のテレビ放送を個別に受信するチューナと、テレビ放送の内容をＨＤＤに記録再生する記録手段と、指定された複数のチャンネルの放送内容を前記チューナで常時受信して前記記録手段で録画させる常時録画制御手段と、前記記録手段のＨＤＤの保守を定期的に所定時間だけ実施するＨＤＤ保守手段とを備える録画再生装置であって、
各チャンネルの放送内容の情報を含む番組表を取得する番組表取得手段と、
前記番組表に前記ＨＤＤ保守手段が実施する保守の時間帯を表示しながら、常時録画させる前記チャンネルと時間帯の指定を受け付ける常時録画設定受付手段とを備えることを特徴とする録画再生装置。
【請求項２】
前記常時録画設定受付手段は、設定するチャンネルと時間帯で録画される予定の番組を表示することを特徴とする請求項１に記載の録画再生装置。
【請求項３】
前記常時録画設定受付手段は、所定の時間枠の翌日以降の番組をリストで表示することを特徴とする請求項１または請求項２に記載の録画再生装置。
【請求項４】
個別に録画対象を選択して録画する個別録画設定手段を備え、
前記常時録画設定受付手段は、常時録画する対象と個別録画する対象とが重複しないようにすることを特徴とする請求項１〜請求項３のいずれかに記載の録画再生装置。
【請求項５】
前記常時録画設定受付手段は、常時録画する対象と個別録画する対象とが重複するときに前記個別録画設定手段での録画対象の録画を実行させないようにすることを特徴とする請求項４に記載の録画再生装置。
【請求項６】
前記個別録画設定手段は、前記常時録画設定受付手段によって録画対象の録画の実行を停止された際に録画対象の選択の情報を保持し、常時録画する対象と重ならなくなったときに個別録画の選択を復活させて実行することを特徴とする請求項５に記載の録画再生装置。
【請求項７】
前記常時録画設定受付手段は、ユーザの番組の選択に基づいてユーザの嗜好を蓄積するとともに、嗜好の度合いが高い番組の表示を変えて番組表に表示することを特徴とする請求項１〜請求項６のいずれかに記載の録画再生装置。
【請求項８】
前記常時録画設定受付手段は、常時録画を指定しているチャンネル群と設定をしていないチャンネル群の間に嗜好の度合いが高いチャンネルを配置して番組表を表示することを特徴とする請求項７に記載の録画再生装置。
【請求項９】
前記ＨＤＤ保守手段が実施する保守の時間帯を設定する保守時間帯設定手段を備え、
この保守時間帯設定手段は、嗜好の度合いが低い番組を含む時間帯を保守の時間帯として設定することを特徴とする請求項７に記載の録画再生装置。
【請求項１０】
前記ＨＤＤ保守手段が実施する保守の時間帯を設定する保守時間帯設定手段を備え、
常時録画設定受付手段は、常時録画させる前記時間帯が前記保守の時間帯に重ならないように指定を受け付けることを特徴とする請求項１〜請求項８のいずれかに記載の録画再生装置。
【請求項１１】
前記保守時間帯設定手段は、番組表を参照して保守の時間帯が重複する番組を取得し、重複する番組の開始時間または終了時間に合わせて保守の時間帯を調整することを特徴とする請求項９に記載の録画再生装置。
【発明の詳細な説明】
【技術分野】
【０００１】
本発明は、複数のチャンネルの放送内容を常時受信して録画する録画再生装置および常時録画チャンネル指定方法に関する。
【背景技術】
【０００２】
チャンネルごとに指定して常に録画し続ける機能が利用されてきている。丸録、全録、タイムシフト機能、ループ録画など、各種の呼び名で呼ばれているが、複数のチャンネルの放送内容を常時受信して録画する。
特許文献１は、タイムシフト録画するチャンネルを選択する放送受信装置に関する。特許文献１の請求項１と図４には、同時視聴するチャンネル及びタイムシフト録画するチャンネルをユーザに選択設定させ、放送受信装置のメンテナンスを実施する時間帯を含む設定画面を表示させる開示がある。
【０００３】
特許文献２は、予約頻度が高い番組グループを区別して表示する電子番組表提示機能制御装置に関する。特許文献２の請求項１には、予約頻度が高い番組類似グループは、他番組と区別して表示する。予約頻度が高い番組類似グループだけを番組表に表示するとの開示がある。
特許文献３は、丸録で録画された番組の番組表を表示する録画装置、録画方法、映像表示装置に関する。特許文献３の請求項７と図２には、丸録で録画された番組の番組表を表示する。番組表の中から番組が指定されて再生指示となるとの開示がある。
【０００４】
特許文献４は、記録保存指定した番組は削除しない常時番組記録装置に関する。特許文献４の請求項１には、常時番組記録装置において、ＥＰＧを用いた番組情報画面上から記録保存指定した番組情報は番組削除としないとの開示がある。
【先行技術文献】
【特許文献】
【０００５】
【特許文献１】特開２０１２-０２９２４８号公報
【特許文献２】特開２００５-３１１５６１号公報
【特許文献３】特開２０１２-１８２８３２号公報
【特許文献４】特開２００６-３４５１３３号公報
【発明の概要】
【発明が解決しようとする課題】
【０００６】
丸録モデルにおいて、丸録チャンネル設定時、チャンネル名のみでは、どのような番組が丸録対象となるのか判断し辛く、また、どの時間帯を丸録対象時間とすべきか判断が難しかった。
特に、常時録画では、ＨＤＤに常時大量のデータを書き込んでいるため、一日に一度は保守の時間帯を設ける必要がある。通常、一時間ほど要するが、この期間は常時録画も実行できない。常時録画を希望するユーザは保守の時間帯を十分に理解していないことも多く、また、理解しているつもりでも自分が録画を希望する番組が保守の時間帯に入っているか否かを確認していないと、そのユーザにとっては大きな損失となる。
【０００７】
なお、特許文献１は、番組表上でチャンネルを選択する構成ではない。特許文献２は、チャンネル単位での候補表示ではない。特許文献３は、録画予約の構成ではない。特許文献４は、通常予約録画の番組を自動消去しない構成ではない。
本発明は、いわゆる丸録モデルにおいて、未来番組表上から丸録設定を行うことで、番組を見ながらユーザが望む丸録チャンネルを容易に設定できるようにする。
【課題を解決するための手段】
【０００８】
本発明は、複数のテレビ放送を個別に受信するチューナと、テレビ放送の内容をＨＤＤに記録再生する記録手段と、指定された複数のチャンネルの放送内容を前記チューナで常時受信して前記記録手段で録画させる常時録画制御手段と、前記記録手段のＨＤＤの保守を定期的に所定時間だけ実施するＨＤＤ保守手段とを備える録画再生装置であって、各チャンネルの放送内容の情報を含む番組表を取得する番組表取得手段と、前記番組表に前記ＨＤＤ保守手段が実施する保守の時間帯を表示しながら、常時録画させる前記チャンネルと時間帯の指定を受け付ける常時録画設定受付手段とを備える構成としてある。
【０００９】
前記構成において、ＨＤＤ保守手段は、記録手段のＨＤＤの保守を定期的に所定時間だけ実施している。番組表取得手段は、各チャンネルの放送内容の情報を含む番組表を取得すると、常時録画設定受付手段は、前記番組表に前記ＨＤＤ保守手段が実施する保守の時間帯を表示しながら、常時録画させる前記チャンネルと時間帯の指定を受け付ける。
【発明の効果】
【００１０】
本発明は、いわゆる未来番組表上から常時録画設定を行うようにしたことで、ユーザが番組を見ながら望むチャンネルを常時録画対象として容易に設定でき、また、ＨＤＤの保守時間とは重ならないようにすることも容易にできる。
【図面の簡単な説明】
【００１１】
【図１】本発明の一実施形態にかかる録画再生装置をブロック図である。
【図２】録画再生装置が実施する基本プログラムの処理手順をフローチャートである。
【図３】番組表を示す図である。
【図４】保守時間帯設定の操作画面を示す図である。
【図５】常時録画設定の操作画面を示す図である。
【図６】常時録画設定の時間帯と保守時間帯とが重複している場合の警告表示と確認操作受付の画面を示す図である。
【図７】録画再生装置が実施する第二実施例のプログラムの処理手順をフローチャートである。
【図８】常時録画対象の番組を示す図である。
【図９】録画再生装置が実施する第三実施例のプログラムの処理手順をフローチャートである。
【図１０】番組とハイライト時間枠に相当する翌日以降の番組のリスト表示を示す図である。
【図１１】録画再生装置が実施する第四実施例のプログラムの処理手順をフローチャートである。
【図１２】個別録画予約の設定画面を示す図である。
【図１３】重複除外確認画面を表示した番組表を示す図である。
【図１４】録画再生装置が実施する第五実施例のプログラムの処理手順をフローチャートである。
【図１５】おすすめ番組をハイライト表示した番組表を示している。
【図１６】録画再生装置が実施する第六実施例のプログラムの処理手順をフローチャートである。
【図１７】チャンネルの順を換えた番組表を示す図である。
【図１８】録画再生装置が実施する第七実施例のプログラムの処理手順をフローチャートである。
【図１９】調整可能な重複の例を示す図である。
【図２０】調整後の保守時間帯と番組を示す図である。
【発明を実施するための形態】
【００１２】
（第一実施例）
以下、図面にもとづいて本発明の実施形態を説明する。
図１は、本発明の一実施形態にかかる録画再生装置をブロック図により示している。
同図において、本録画再生装置１０は、複数のチューナ（デジタルチューナ）１１を備えている。具体的には、地デジチューナ１１ａ１〜１１ａ３、ＢＳチューナ１１ｂ１，１１ｂ２、ＣＳチューナ１１ｃ１，１１ｃ２を備えている。地デジであれば同時に三つのテレビ放送を受信でき、ＢＳであれば同時に二つのテレビ放送を受信でき、ＣＳであれば同時に二つのテレビ放送を受信できる。各チューナ１１で受信して復調されエラー処理まで行われた復調信号はそれぞれ個別にデマルチプレクサ１２に入力されている。なお、図示していないがチューナ１１には復調器を含むものとする。
【００１３】
デマルチプレクサ１２は多重信号の分離を行うが、さらにＣＰＵやＲＯＭやＲＡＭを内蔵して所定のプログラムを実行し、各部を制御してテレビ放送の受信や録画および再生を行なうことが可能である。
マルチプレクサ１３は、録画時、受信したデジタル放送のコンテンツから録画に必要な情報を注出して再多重し、記録領域としてのＨＤＤ１４に記録させる。再生時は、デマルチプレクサ１２がＨＤＤ１４から直にデータを読み出す。
【００１４】
ＨＤＤ１４には、デジタル放送のコンテンツに加え、常時録画チャンネル１４ａと、常時録画時間帯１４ｂと、保守時間帯１４ｃと、個別録画設定１４ｄと、嗜好度合いデータベース１４ｅと、番組表１４ｆなども記録されている。
受信したデジタル放送のトランスポートストリームあるいはＨＤＤ１４から読み出されたデータはデコーダ１５に入力され、映像信号と音声信号とに分離され、デコードされる。デコードされた映像信号はドライバ１６に入力されてディスプレイパネル１７で映像として表示される。また、デコードされた音声信号はアンプ１８で増幅されてスピーカ１９から音声として出力される。
【００１５】
本録画再生装置１０に対する操作指示は、操作パネル２１を介してデマルチプレクサ１２が取得し、所定の制御に反映させる。また、リモコン２２を介する操作指示も同様に取得可能となっている。
本実施例では、チューナ１１が複数のテレビ放送を個別に受信するチューナに相当し、ＨＤＤ１４がテレビ放送の内容を記録再生する記録手段に相当し、デマルチプレクサ１２が指定された複数のチャンネルの放送内容を前記チューナで常時受信して前記記録手段で録画させる常時録画制御手段に相当している。また、デマルチプレクサ１２は定期的に予定された保守時間帯になると機器をリセットして所定時間だけＨＤＤ１４の保守を開始させるのでＨＤＤ保守手段にも相当している。
【００１６】
タイムシフト機能で録画するチャンネルは、所定のメニューを介してユーザは直に設定可能となっている。しかし、地デジ、ＢＳ、ＣＳというように、チャンネルが多くなると、限られた常時録画可能なチャンネル数の中でチャンネルを指定するのは困難を伴う。さらに、保守時間帯も考慮しなければならないので、より一層困難である。以下、常時録画チャンネルや時間帯の指定を容易にするためのプログラムについて説明する。
【００１７】
図２は、録画再生装置が実施する基本プログラムの処理手順をフローチャートにより示している。
デマルチプレクサ１２内のＣＰＵ（以下、単にＣＰＵと呼ぶ）は、ステップＳ１００にて番組表を取得する。番組表は各チャンネル毎にテレビ放送の内容の合間に送信されており、ＣＰＵはトランスポートストリームを分離する際に番組表のデータを含むパケットを受信すると、当該パケットから番組表のデータを取り出し、ＨＤＤ１４の所定の記憶領域に番組表１４ｆとして書き込む。番組表が必要となったときは同記憶領域から番組表１４ｆを参照する。なお、このような番組表は、タイムシフト機能で録画済みの番組と対比させる意味で未来番組表と呼び、タイムシフト機能で録画済みの番組については過去番組表と呼ぶことがある。ステップＳ１００の処理は、各チャンネルの放送内容の情報を含む番組表を取得する番組表取得手段に相当する。
【００１８】
ステップＳ１０２では、ＣＰＵは保守の時間帯を取得する。保守の時間帯は保守時間帯１４ｃとしてＨＤＤ１４の記憶領域に保存されている。保守時間帯１４ｃの情報は、開始時間だけである。保守時間は一時間と固定されているため、終了時間は開始時間の一時間後となる。なお、機種によって保守時間が変わっていることもあるし、一定でないこともある。
【００１９】
ステップＳ１０４では、ＣＰＵは現在の常時録画のチャンネルと常時録画の時間帯とを取得する。これらは、常時録画チャンネル１４ａと常時録画時間帯１４ｂとしてＨＤＤ１４の記憶領域に保存されている。常時録画チャンネル１４ａは、本実施例の場合は最大六チャンネルとしてあり、チャンネル番号を記憶する。また、常時録画時間帯１４ｂは、開始時間と終了時間または全日というデータを記憶することになる。常時録画チャンネル１４ａに一つでもチャンネルが記憶されていれば常時録画は実施される。また、常時録画時間帯１４ｂであれば常時録画をするが保守時間帯１４ｃが設定されている場合は保守を優先する。
【００２０】
ステップＳ１０６では、ＣＰＵは番組表の表示を行なう。ＣＰＵは、常時録画チャンネル１４ａと常時録画時間帯１４ｂとに加え、保守時間帯１４ｃを取得しているので、番組表には、保守時間帯の表示と常時録画チャンネルと常時録画時間帯の表示とを行っている。
このように、ステップＳ１００〜ステップＳ１０６の処理が本実施例では常時録画設定受付手段に相当する。
【００２１】
図３は、番組表を図により示している。
同図には、１月１日（日曜日）における０６：００〜１０：００の間のチャンネルｃｈ１〜ｃｈ６の番組を表形式で表示している。また、０６：００〜０７：００の時間帯は保守時間帯として色を替えて表示され、また、チャンネルｃｈ１〜ｃｈ３の０７：００〜１０：００の時間帯は常時録画時間帯として色を替えて表示されている。ステップＳ１０６では、このような番組表を表示する。保守時間帯や常時録画チャンネルと常時録画時間帯の表示方法は図３に示すものに限られるものではなく、適宜、変更可能であることはいうまでもない。
【００２２】
ステップＳ１０８では、ＣＰＵは、保守時間帯操作受付を行なう。ステップＳ１０８は、番組表を表示したときにリモコンの色分けボタンに対して「保守時間帯設定」が割り振られており、その色分けボタンを押したときに実施される。
図４は保守時間帯設定の操作画面を図により示している。
保守時間帯設定では、保守時間帯１４ｃの情報である開始時間だけを設定する。ただし、内部的には終了時間として開始時間から一時間後の値が設定される。なお、ステップＳ１０８の処理が、保守時間帯設定手段に相当する。
【００２３】
ステップＳ１１０では、ＣＰＵは、常時録画設定操作受付を行なう。ステップＳ１１０も、番組表を表示したときにリモコンの色分けボタンに対して「常時録画設定」が割り振られており、その色分けボタンを押したときに実施される。
図５は常時録画設定の操作画面を図により示している。
常時録画設定では、常時録画チャンネル１４ａとして最大六チャンネル分の枠を用意してあり、チャンネル番号を記憶することができる。チャンネル番号はリモコン２２を操作して入力しても良いし、番組表を表示している時点でリモコンの色分けボタンに対して「常時録画チャンネルとして保存」が割り振られているときは、当該色分けボタンを押した時点で番組表でハイライト表示されているチャンネルが六枠の中で最初から順次設定されていく。常時録画時間帯１４ｂは、開始時間と終了時間を設定するが、全日という選択も可能である。図５には、これらの常時録画チャンネル１４ａとして最大六チャンネル分の枠と、常時録画時間帯１４ｂとして、開始時間と終了時間の枠と、時間帯の指定か全日の指定かの選択ボタンが用意されている。
【００２４】
ステップＳ１１２では、ＣＰＵは、常時録画設定の時間帯と保守時間帯とが重複していないか判定する。常時録画時間帯１４ｂと保守時間帯１４ｃとを参照することで重複しているかは容易に判断できる。重複している場合、ＣＰＵは、ステップＳ１１４にて、警告表示と、確認操作受付を行なう。
図６は常時録画設定の時間帯と保守時間帯とが重複している場合の警告表示と確認操作受付の画面を図により示している。
【００２５】
常時録画時間帯１４ｂとして開始時間０７：００、終了時間１０：００が設定され、保守時間帯１４ｃとして、開始時間０８：００が設定されていれば、０８：００〜０９：００について、両者が重複する。この場合、図６に示すように、番組表に重ねてポップアップウィンドウの形式で警告表示と確認操作受付の処理を行う。同ポップアップウィンドウには、「保守時間帯と常時録画時間帯とが重複しています」という警告が表示される。ＯＫボタンとキャンセルボタンも表示され、ＯＫボタンを選択したときは重複を無視して設定を終えるが、キャンセルボタンを選択したときはステップＳ１１０の常時録画設定操作受付に戻って常時録画時間帯の変更を促す。
【００２６】
本実施例では、「保守時間帯と常時録画時間帯とが重複しています」という警告だけを表示しているが、このように保守時間帯の設定変更によって重複が発生した場合、これに連動して、丸録による録画対象から外れる番組を一覧表示することも可能である。図６に示すものでは、チャンネルｃｈ２，ｃｈ３，ｃｈ４で０８：００〜０９：００に放映される各番組が重複によって録画対象から外れることになる。従って、これらの各番組を別のポップアップウィンドウで一覧表示すればよい。これにより、ユーザに対しどの時間帯をメンテナンス時間に設定にすべきか判断しやすくなるように補助できる。
【００２７】
この場合、その番組一覧から別機器に録画を依頼できるようにしても良い。例えば、ＬＡＮ接続で、他の同様の録画再生機器が接続されていることを判別できる場合がある。このような場合にＬＡＮ接続を介して同録画再生機器に録画予約設定を行う。また、番組一覧は、ユーザの嗜好の度合いの高い順で表示するようにしても良い。嗜好の度合いについては、後述する手法でジャンル別に判断できるので、ジャンル別に嗜好の度合いを順番付け、この順番付けに則って一覧表示の順番を決める。
ただし、ＨＤＤ１４が、常時録画用のものと、個別録画用のものとで、独立している場合もある。このような場合は、丸録による録画対象から外れる番組は、保守時間帯であっても、個別録画用の領域を使用して録画予約しても良い。
以上のようにすることで、チャンネルや番組表を見ながら設定できるようになる為、どのような番組が丸録対象となるか認識しやすくなる。
【００２８】
（第二実施例）
第二実施例では、丸録される予定番組一覧を表示する。
図７は、録画再生装置が実施する第二実施例のプログラムの処理手順をフローチャートにより示している。
ステップＳ１３０では、ＣＰＵは、番組表取得を行なう。この処理はステップＳ１００と同じである。次に、ステップＳ１３２では、ＣＰＵは、現在の常時録画チャンネルと常時録画時間帯とを取得する。すなわち、ＨＤＤ１４の記憶領域から常時録画チャンネル１４ａと常時録画時間帯１４ｂとを読み出す。
そして、ステップＳ１３４では、ＣＰＵは、番組表から直近から表示枠分の常時録画対象の番組を取得し、ステップＳ１３６では、その常時録画対象を表示する。
【００２９】
図８は、常時録画対象の番組を図により示している。
常時録画チャンネル１４ａに、チャンネルｃｈ１，ｃｈ２，ｃｈ３が指定され、常時録画時間帯１４ｂに０６：００〜０９：００が設定されているとする。常時録画対象の番組はこれらのチャンネルおよび時間帯に放送される番組であり、図８に示している。
【００３０】
図８では、複数のチャンネルを表示しているので、一日単位でしか表示できていないが、この表示をチャンネル単位としてもよい。この場合は、左の列から右の列に向かうにつれて、翌日、翌々日、・・というように複数の日数にわたる表示とすることができる。
また、番組表１４ｆのデータには番組毎にジャンルも含まれているので、ジャンルごとに一覧表示したり、丸録される出演者などを一覧表示するということも可能である。常時録画対象の番組が特定されているので、表示の態様は柔軟に対応することができる。
【００３１】
（第三実施例）
上述した実施例では、チャンネル単位での録画対象の予告を行なうことができた。しかし、チャンネルごとに特定の時間枠での未来の録画対象を知ることも便利である。
第三実施例では、時間枠毎に丸録される予定番組一覧を表示する。
【００３２】
図９は、録画再生装置が実施する第三実施例のプログラムの処理手順をフローチャートにより示している。
ステップＳ１５０では、ＣＰＵは、ステップＳ１００と同様の番組表取得を行なう。ステップＳ１５２では、ＣＰＵは、番組表表示を行なう。このとき、表示に対する操作も受け付け、番組表内で各番組をハイライト表示しながらカーソル移動に対応してハイライト表示を移動させる。
【００３３】
ステップＳ１５４では、ＣＰＵは、ハイライト表示番組の時間枠を取得し、ステップＳ１５６では、ＣＰＵは、番組表からハイライト時間枠に相当する翌日以降の番組をリスト表示する。ハイライト表示番組の時間枠というのは、そのチャンネルと放送時間枠を指す。翌日、翌々日、・・というように、一日単位で翌日以降の番組を番組表１４ｆから取得すればよい。
【００３４】
図１０は、番組とハイライト時間枠に相当する翌日以降の番組のリスト表示を図により示している。
リスト表示は、ポップアップウィンドウで行い、同ウィンドウ内に、翌日以降の日付と、番組名を順次列挙している。同図では、０１／０２という日付と、その日の番組名ｔ１、０１／０３という日付と、その日の番組名ｔ２、０１／０４という日付と、その日の番組名ｔ３、０１／０５という日付と、その日の番組名ｔ４、同じ時間枠でも、番組によっては複数の番組が関わることもあるから、その場合は当該時間枠と少しでも重複する番組を列挙すればよい。
このように、ハイライトの当たった番組と同チャンネルで同時刻帯の未来曜日の番組を表示することで、丸録設定した場合、どのような番組が丸録されるかユーザが把握しやすくなる。
【００３５】
（第四実施例）
常時録画では、個別録画予約と重複する可能性がある。本実施例では、常時録画と個別録画予約との重複に対応する。
図１１は、録画再生装置が実施する第四実施例のプログラムの処理手順をフローチャートにより示している。
個別録画予約は、番組表を表示しているときに録画ボタンを押されたかをＣＰＵがステップＳ１７０にて判断する。上述したように、番組表を表示しているとき、一つの時間枠の番組がハイライト表示されている。ステップＳ１７２では、ＣＰＵは、ハイライト表示番組について個別録画予約画面を表示し、ステップＳ１７４では、ＣＰＵは、個別録画予約操作を受付ける。なお、ステップＳ１７２，Ｓ１７４の処理が個別録画設定手段に相当する。
【００３６】
図１２は、個別録画予約の設定画面を図により示している。個別録画予約は、番組表でハイライト表示されている一つの番組ごとに予約を設定するものであり、同図に示すように、チャンネルと、タイトル（番組名）と、開始時間と、終了時間と、録画モード（標準、長時間録画など）と、録画先（ＨＤＤか、ＬＡＮ）と、繰返設定（一回のみ、毎日、毎週）といった設定を受け付けることができる。番組表から各番組の情報を取得できるので、チャンネルと、タイトルと、開始時間と、終了時間については自動的に設定されている。録画モードと、録画先と、繰返設定については、前回の指定のものを引き継いで表示するが、その都度、変更可能である。個別録画予約の内容は、個別録画設定１４ｄとして、ＨＤＤ１４の所定の領域に記憶される。
【００３７】
このようにして逐次、複数の個別録画設定１４ｄがＨＤＤ１４に蓄積されているとする。ステップＳ１７６では、ＣＰＵは、ステップＳ１１０と同様の常時録画設定操作受付を行なう。これにより、常時録画チャンネル１４ａと常時録画時間帯１４ｂが設定される。そして、ステップＳ１７８では、ＣＰＵは、常時録画対象と個別録画予約対象とが重複するか判定する。この判定は、常時録画チャンネルごとに、常時録画時間帯に、それぞれの個別録画設定のチャンネルと時間帯が重複していないかを順番に調べていけばよい。
【００３８】
重複していた場合、ステップＳ１８０では、ＣＰＵは、重複除外確認画面の表示を行なう。
図１３は、重複除外確認画面を表示した番組表を図により示している。
この設定は、常時録画チャンネル１４ａとしてチャンネルｃｈ１，ｃｈ２，ｃｈ３が設定され、常時録画時間帯１４ｂとして０７：００〜１０：００が設定されているときに、個別録画予約でチャンネルｃｈ２の０８：００〜０９：００の番組を設定したことにより該当する個別録画設定１４ｄが存在した場合である。
【００３９】
常時録画対象と個別録画予約対象とが重複しているので、ポップアップウィンドウを表示し、そのウィンドウの中で「個別録画が重複しています」という警告文と、「０１／０１  ０８：００〜０９：００」という重複時間を示している。また、対策として、二者択一の「録画スキップ」か、「録画」のいずれかを選択できる。デフォルトは記憶領域が無駄にならないように「録画スキップ」としているが、ユーザは記憶領域を考慮しつつも「録画」を選択することができる。すなわち、通常予約録画登録されている番組が丸録対象となった場合、通常予約録画の実行を停止することで、同番組を多重に録画しないようにし、ＨＤＤ容量を節約するということである。
【００４０】
一方、通常予約録画を実行しない代わりに丸録した場合は、そのままでは時間が経過すると自動消去の対象となってしまう。そこで、あえて「録画」という選択肢を選べるようにしている。ただし、丸録した後、通常録画予約のあった番組を丸録用ＨＤＤのループ録画領域から通常録画用ＨＤＤに移動または複製するということも可能である。
「録画スキップ」を選んだ場合は、ステップＳ１８２では、ＣＰＵは、スキップマークの設定をする。スキップマークを付しても、個別録画設定１４ｄは保持されて残るが、予約時間になっても録画はされないようにしている。
【００４１】
一方、ステップＳ１８４では、ＣＰＵは、常時録画対象と重複しないスキップマークがあるか判断する。個別録画予約をした後、ステップＳ１７６で常時録画設定操作を受け付けるが、この結果により、以前はスキップマークが付されていたものの、常時録画設定が変更されることで常時録画対象と個別録画予約対象とが重複しなくなる可能性もある。このため、ステップＳ１８４で、常時録画対象と重複しないスキップマークがあるか判断し、そのような個別録画設定１４ｄが存在する場合には、ＣＰＵは、ステップＳ１８６にてスキップマークを除外する。スキップマークが除外されたことにより、その個別録画設定１４ｄの予約時間になれば録画は開始される。すなわち、個別録画設定１４ｄが実質的に復活する。
このようにスキップマークを管理することで、一度丸録設定となっても、通常録画予約があったことは記録しておき、丸録設定から再度外れた場合は、再度通常予約録画に戻り、録画を実行するということが可能となる。
【００４２】
（第五実施例）
ユーザが録画再生機器で過去の録画番組を再生するということは、再生された番組に対する嗜好の度合いが高いものと判断できる。このため、ユーザの嗜好の度合いの高さや低さを使って利便性を向上させることも可能である。
【００４３】
図１４は、録画再生装置が実施する第五実施例のプログラムの処理手順をフローチャートにより示している。
ステップＳ２００では、ＣＰＵは、ユーザのリモコン２２による操作を受け付ける際、過去番組表からの再生であると判断されると、以下の処理を実行する。まず、ステップＳ２０２では、ＣＰＵは、再生番組のジャンルを取得する。ＨＤＤ１４にはコンテンツの録画をしたときにそれに付随して番組表から番組情報の一部を取得し、コンテンツと共に記録している。そして、そのような番組情報にはジャンルのデータも入っているので、再生番組のジャンルを取得することができる。ステップＳ２０４では、ＣＰＵは、その再生番組のジャンルを嗜好度合いデータベース１４ｅに追加更新する。
【００４４】
過去番組表からの再生の都度、このようにして再生番組のジャンルを嗜好度合いデータベース１４ｅに追加更新していくので、同嗜好度合いデータベース１４ｅを参照したとき、追加されていったジャンルが多いほど、ユーザのそのジャンルに対する嗜好の度合いは高いものと判断できるようになる。
この嗜好度合いデータベース１４ｅの存在を前提にして、ＣＰＵは、ステップＳ２０６にて番組表取得したとき、ステップＳ２０８にて、嗜好度合いデータベース１４ｅで嗜好の度合いの高いジャンルを取得し、ステップＳ２１０にて、番組表の中に嗜好の度合いの高いジャンルに該当する番組があるか否かを判定する。各番組毎に判断をしていき、該当する番組については、ＣＰＵは、ステップＳ２１２にて嗜好の度合いの高い番組をおすすめ番組としてハイライト表示する。
【００４５】
図１５は、おすすめ番組をハイライト表示した番組表を示している。同図に示すものでは、一画面の番組表に含まれる番組のうち、チャンネルｃｈ１の０８：００〜０９：００、チャンネルｃｈ２の０８：００〜０９：００、チャンネルｃｈ３の０６：００〜０７：００、チャンネルｃｈ４の０７：００〜０９：００の番組のジャンルが、嗜好度合いデータベース１４ｅで嗜好の度合いの高いものとして記憶されているジャンルと一致したので、ハイライト表示されている。
【００４６】
これは、ユーザが丸録チャンネルを設定しやすいように番組表をカスタマイズした実施例である。むろん、ジャンル以外での嗜好の度合いの判定も番組情報を使って同様に可能である。また、度合いの高さは、嗜好度合いデータベース１４ｅのデータの数によって判断することもでき、おすすめ度で色分けするということも可能である。その他、ジャンル以外の要素として、例えば、ユーザ嗜好度の高いタレントが出演する番組をハイライト表示したり色分けで表示するということも可能である。
【００４７】
（第六実施例）
図１６は、録画再生装置が実施する第六実施例のプログラムの処理手順をフローチャートにより示している。
本実施例では、番組単位ではなく、チャンネル単位で嗜好の度合いの高さを判定して、番組表の表示に反映する。
上述した嗜好度合いデータベース１４ｅの存在を前提にして、ステップＳ２３０では、ＣＰＵは、嗜好の度合いの高い番組を多く含むチャンネルがあるか判断する。個別の番組ごとに嗜好の度合いの高いものについてハイライト表示をしたとする。次に、全放送時間に対するハイライト表示番組の放送時間の総和が占める割合を求める。その割合が大きいものほど嗜好の度合いの高いチャンネルといえる。このため、あるしきい値を設定しておき、これを小手多チャンネルについては、ＣＰＵは、ステップＳ２３２にて、おすすめチャンネルとして設定する。
【００４８】
すると、全てのチャンネルについて、常時録画チャンネルと、おすすめチャンネルと、それ以外のチャンネルに分けられる。従って、ステップＳ２３４では、ＣＰＵは、番組表を表示するのに際し、最も左側の列から、常時録画設定済みチャンネル（常時録画チャンネル）、おすすめチャンネル、前記以外のチャンネルの順に並べた配置として表示する。
【００４９】
図１７は、チャンネルの順を換えた番組表を図により示している。
この例では、常時録画チャンネルのチャンネル群としてチャンネルｃｈ１，ｃｈ２、おすすめチャンネルのチャンネル群としてチャンネルｃｈ１０，ｃｈ８、この他のチャンネル群には設定がないものとする。また、おすすめチャンネルのチャンネルｃｈ１０，ｃｈ８については、ｃｈ１０の方がｃｈ８よりも全放送時間に対するハイライト表示番組の放送時間の総和が占める割合が高かったとする。
【００５０】
この結果、図１７に示すように、最も左の列からチャンネルｃｈ１，ｃｈ２、チャンネルｃｈ１０，ｃｈ８、前記以外のチャンネルｃｈ３，ｃｈ４という並びで表示される。
このように、本実施例では、チャンネルの並び順を丸録設定しそうな順に並べている。すなわち、左から：丸録設定中チャンネル⇒丸録候補チャンネル⇒その他  の順番としている。丸録チャンネルを片側に集めることで、未来と過去の番組表をシームレスに表示する場合に、番組表上の歯抜けが発生しない為、一覧性において表示メリットがある。
【００５１】
（第七実施例）
嗜好の度合いを得られるのと同時に、嗜好の度合いの高くない番組も判断できる。本実施例では、嗜好の度合いの低い時間帯を保守時間帯として薦められるようにする。
図１８は、録画再生装置が実施する第七実施例のプログラムの処理手順をフローチャートにより示している。
【００５２】
おすすめの保守時間帯を探すため、ステップＳ２５０では、ＣＰＵは、嗜好の度合いの高い番組を含まない時間帯があるか判断する。嗜好の度合いの高い番組であるか否かは、嗜好度合いデータベース１４ｅを参照することで判断できる。また、嗜好度合いデータベース１４ｅを逆に利用して、同データベース１４ｅに含まれないジャンルは嗜好の度合いが低いジャンルであると判断し、そのジャンルと一致する番組を含む時間帯は、嗜好の度合いが低い番組を含む時間帯と判断することもできる。
【００５３】
そして、そのような時間帯があれば、ＣＰＵは、ステップＳ２５２にて、保守時間帯としておすすめ保守時間帯として設定する。例えば、一日を毎時００分から一時間毎の２４の時間帯に分け、嗜好の度合いの高い番組を含まない時間帯にフラグをたてるような処理で実現できる。これを後の処理でおすすめ保守時間帯として表示すればよい。
このように、未来番組表がそろったら嗜好度の低い時間帯を保守時間帯のおすすめとしてユーザに通知できるようになる。
【００５４】
ところで、現状では、保守時間帯は、毎時００分からの一時間単位でしか設定できないが、番組の切り替わりの時間で設定できるようにできると便利である。最近の番組構成では、毎時００分から切り換わるよりも毎時５４分や、毎時５７分など、微妙にずらした時間で番組が切り替わることが多い。このため、毎時００分から保守時間帯を開始するのではなく、その番組の区切り位置で保守時間帯が開始できるようにする。また、ユーザが気がつきにくいこともあるので、より利便性を高くするため、そのような番組の区切り位置に対して調整できるようにする。
【００５５】
まず、ステップＳ２５４では、ＣＰＵは、保守時間帯と重なる番組を取得する。そして、ステップＳ２５６では、ＣＰＵは、毎時００分始まり以外の番組があるか判断する。保守時間帯を設定すれば番組が重なるのは当然であるから、調整によって適切な保守時間帯を設定できるケースだけを探す。本実施例では、毎時５４分や、毎時５７分など、微妙にずらした時間で区切られる番組が保守時間帯と重なっていないか判断する。
その場合、ステップＳ２５８では、ＣＰＵは、保守の時間帯を調整可能か判断する。具体的には、１０分以内の前後によって重複解消であるか否かで判断すればよい。
【００５６】
図１９は、調整可能な重複の例を図により示しており、図２０は、調整後の保守時間帯と番組を図により示している。
保守時間帯が０７：００〜０８：００だったとする。また、チャンネルｃｈ２において、番組の放送時間が０７：５４〜０８：５４だったとする。この場合、図１９に示すように重複しており、ステップＳ２５４にて、この番組が探し出され、さらに、ステップＳ２５６では、この番組が毎時００分始まりではないので、調整可能な否かの判断をすべき対象と判断される。そして、保守時間帯を６分繰り上げて０６：５４〜０７：５４とすれば、図２０に示すように、重複が解消されることが分かる。この結果、ステップＳ２６０で、おすすめ保守時間帯として０６：５４〜０７：５４を設定する。
【００５７】
以上の二つの観点でおすすめ保守時間帯を見つけることができるので、これを反映させる番組表を表示する。まず、上述した実施例と同様の手順で、ＣＰＵは、ステップＳ２６２にて、番組表取得を行ない、ステップＳ２６４にて、現在の保守時間帯取得を行ない、ステップＳ２６６にて、現在の常時録画チャンネルと常時録画時間帯とを取得する。これで番組表の表示の準備ができたので、ＣＰＵは、ステップＳ２６８にて、番組表の表示を行なう。このとき、おすすめ保守時間帯を表示し、さらに、上述した実施例と同様の保守時間帯の表示と常時録画チャンネルと常時録画時間帯の表示を行なう。
【００５８】
ユーザは、図３に示したのと同様、常時録画ができない保守時間帯が表示された上で、現在設定してある常時録画のチャンネルと時間帯が表示されていることを確認しつつ、自分の好みが（嗜好）が反映されたり、微妙な調整次第で常時録画が可能となるような調整が反映されたおすすめの保守時間帯まで分かるようになる。
なお、本発明は前記実施例に限られるものでないことは言うまでもない。当業者であれば言うまでもないことであるが、
【００５９】
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００６０】
１０…本録画再生装置、１１…チューナ、１１ａ１〜１１ａ３…地デジチューナ、１１ｂ１，１１ｂ２…ＢＳチューナ、１１ｃ１，１１ｃ２…ＣＳチューナ、１２…デマルチプレクサ、１３…マルチプレクサ、１４…ＨＤＤ、１４ａ…常時録画チャンネル、１４ｂ…常時録画時間帯、１４ｃ…保守時間帯、１４ｄ…個別録画設定、１４ｅ…嗜好度合いデータベース、１４ｆ…番組表、１６…ドライバ、１７…ディスプレイパネル、１８…アンプ、１９…スピーカ、２１…操作パネル、２２…リモコン。
【図１】
2015136037.tif 000003
【図２】
2015136037.tif 000004
【図３】
2015136037.tif 000005
【図４】
2015136037.tif 000006
【図５】
2015136037.tif 000007
【図６】
2015136037.tif 000008
【図７】
2015136037.tif 000009
【図８】
2015136037.tif 000010
【図９】
2015136037.tif 000011
【図１０】
2015136037.tif 000012
【図１１】
2015136037.tif 000013
【図１２】
2015136037.tif 000014
【図１３】
2015136037.tif 000015
【図１４】
2015136037.tif 000016
【図１５】
2015136037.tif 000017
【図１６】
2015136037.tif 000018
【図１７】
2015136037.tif 000019
【図１８】
2015136037.tif 000020
【図１９】
2015136037.tif 000021
【図２０】
2015136037.tif 000022